(57)【要約】【課題】  構えた位置によって自動的に複数のボタンのうちの操作が容易な位置のボタンの操作を選択して、他のボタンによる誤動作を防止する。【解決手段】  本発明の撮像装置は、光学系の操作又は撮像手段による被写体の画像の撮像の操作を可能にする操作ブロック６と、撮像装置の縦横上下の配置を検出する縦横上下検出センサ６と、縦横上下検出センサ６により検出された縦横上下の検出信号に応じて複数の操作ブロック６による操作のいずれかを選択的に切り替えるように制御する切替制御部１１とを備えたものである。【選択図】        図１
2006041621.tif 000002
【特許請求の範囲】
【請求項１】
光学系を介して被写体の画像を撮像手段により撮像する撮像装置において、
上記光学系の操作又は上記撮像手段による被写体の画像の撮像の操作を可能にする操作手段と、
上記撮像装置の縦横上下の配置を検出する検出手段と、
上記検出手段により検出された縦横上下の検出信号に応じて複数の上記操作手段による操作のいずれかを選択的に切り替えるように制御する切替制御手段と
を備えたことを特徴とする撮像装置。
【請求項２】
請求項１記載の撮像装置において、
上記切替制御手段は、上記縦横上下の検出信号に応じて任意の上記操作手段による操作を有効または無効にすることを特徴とする撮像装置。
【請求項３】
上記切替制御手段は、上記縦横上下の検出信号に応じて任意の上記操作手段による機能を入れ替えることを特徴とする撮像装置。
【請求項４】
上記切替制御手段は、上記縦横上下の検出信号に応じて任意の上記操作手段による画像合成用フレームを切り替えることを特徴とする撮像装置。
【請求項５】
上記切替制御手段は、複数の上記操作手段による操作の選択的切り替え状態を表示部に表示することを特徴とする撮像装置。
【発明の詳細な説明】
【技術分野】
【０００１】
本発明は、被写体の画像を撮像する撮像装置に関する。
【背景技術】
【０００２】
カメラは基本的に横方向に構えて撮影するものであるため、縦位置での使用（縦撮り）に対して少なからず構えにくい、使いにくいという問題があった。その点を改善するため、プロ用のカメラではいわゆる“縦位置グリップ”を取り付けたりする製品が知られているが、これは大きいためコンパクト系カメラには不向きであり、かつ縦専用ボタンはレリーズまわりのみであるため根本的な解決を与えているわけではない。さらに大きく持ち運びにくくなってしまうという欠点もある。
【０００３】
また、これに対して、レリーズを２つもしくは複数設ける技術も提案されている（特許文献１、特許文献２参照）。また、重力により鉛直方向を検出するセンサを用いてカメラが縦横どちらの方向を向いているかを判定する技術が知られている（特許文献３参照）。
【特許文献１】特許2804776号公報
【特許文献２】特開2001-33865号公報
【特許文献３】特開平10-173984号公報
【発明の開示】
【発明が解決しようとする課題】
【０００４】
しかし、上述したカメラでは、複数設けるボタンがレリーズに限定されていることと、構えた位置による誤動作などを防止する手立ては講じられていないので、単にレリーズを複数設けるのみでは操作性が悪く、対応が不十分であるという不都合があった。
【０００５】
そこで、本発明は、構えた位置によって自動的に複数のボタンのうちの操作が容易な位置のボタンの操作を選択して、他のボタンによる誤動作を防止することができる撮像装置を提供することを目的とする。
【課題を解決するための手段】
【０００６】
上記課題を解決し、本発明の目的を達成するため、本発明の撮像装置は、光学系の操作又は撮像手段による被写体の画像の撮像の操作を可能にする操作手段と、撮像装置の縦横上下の配置を検出する検出手段と、検出手段により検出された縦横上下の検出信号に応じて複数の操作手段による操作のいずれかを選択的に切り替えるように制御する切替制御手段とを備えたものである。
【０００７】
これにより、検出手段は装置の構えられた方向を検出するスイッチを利用して縦位置横位置などの位置を自動判別し、切替制御手段はその機能を用いて装置の姿勢にあわせてボタンを自動で使用禁止にロックしたり、割り当てられた機能を自動で入れ替えたりする。
【０００８】
従って、装置本体の限られたスペースを有効利用して、ユーザに特別な操作を強いることなく通常の横位置でも縦位置でも持ちやすく使いやすいボタン配置を可能にする。
【発明の効果】
【０００９】
本発明によれば、ユーザが特別な操作をすることなく構えた装置の向きで自動でボタンの使用可能又は使用禁止や、割り当てられた機能が入れ替わるので、これらを組み合わせることで縦横使いやすいカメラを実現することができる。
【００１０】
さらに、従来に比べてボタンの配置の自由度が大きくなるため、結果として限られたカメラ本体のスペースを有効利用することが可能になり、従来の縦位置グリップなどより一層小型化することにも貢献することができる。
【００１１】
さらに、どの機能のボタンがどう入れ替えられたかといった情報などを液晶パネルに自動で表示したりすることができ、また、使用可能なボタンを近くのＬＥＤの点灯などで使用者に連絡することもあわせて実施すれば、より使いやすいカメラを提供することができる。
【発明を実施するための最良の形態】
【００１２】
以下に、本発明の実施の形態について適宜図面を参照しながら説明する。
図１は、実施の形態の撮像装置の構成を示す図ブロック図である。
図１は、本発明による撮像装置を、デジタルスチルカメラに適用した実施の形態のシステム構成のブロック図を示すものである。
【００１３】
図１に示すように、この実施の形態の撮像装置のカメラブロック１は、入射光を集光すると共にフォーカスやズーム調整可能な光学系のレンズ部と、光軸を中心に入射光の光量を機械式に制限するアイリス機構と、後述するシャッタレリーズボタンの半押し操作でシャッタ羽根を開きフォーカス調整を可能とすると共に深押し操作で露光を開始して撮影動作を可能として露光時間経過時にシャッタ羽根を閉じて撮影動作を終了するシャッタ機構と、露光された入射光を光電変換することにより被写体の画像を撮像するＣＣＤ（Charge Coupled Device）撮像素子と、ＣＣＤ撮像素子の駆動に必要な垂直及び水平転送パルスやフィールドシフトパルスを発生させるタイミング信号発生回路とを備えている。
【００１４】
また、この撮像装置の画像処理ブロック２は、相関二重サンプリングによるノイズ除去や自動ゲインコントロールを行うアナログ信号回路と、このアナログ信号をデジタル信号に変換するＡ／Ｄ変換回路と、このデジタル信号を輝度信号と色信号に分離して各信号にホワイトバランスやガンマ変換などの各種色信号処理を施すと共に撮像動作に必要な信号を生成して撮像画像を取得するデジタル信号処理回路とを備え、また、この撮像装置は、デジタルスチルカメラ全体の動作を制御するメイン制御ブロック７を備えている。
【００１５】
このメイン制御ブロック７は、マイクロコンピュータからなり、図示しないが、ＣＰＵ（Central Processing Unit）、プログラムＲＯＭ（Read Only Memory）、ワークエリア用ＲＡＭ（Random Access Memory）および各種Ｉ／Ｏポートやインターフェースを備える。このメイン制御ブロック７には、レンズ部のズーム機構やフォーカス機構を駆動制御するレンズ制御部が接続される。また、メイン制御ブロック７には、装置の構えた向きを検出する縦横上下検出センサが接続されている。
【００１６】
さらに、メイン制御ブロック７には、ユーザの入力操作によりカメラブロック１の各種調整動作及びシャッタ機構の開閉に伴うＣＣＤ撮像素子の駆動による撮像動作が可能なシャッタレリーズボタンなどの操作ブロック６が接続されると共に、画像処理ブロック２を介して例えばＬＣＤ（Liquid Crystal Display）からなる画像表示装置３が接続され、また、着脱可能な書き換え型の記録媒体としてリームーバブルメモリ１０を備えたリームーバブルメモリコントローラー８と、生成されたデータなどを一時保存するＳＤＲＡＭ（synchronous dynamic Random Access Memory）４や、図示しないＵＳＢ（Universal Serial Bus）などの出力端子を備える外部インターフェースや不揮発性メモリであるＥＥＰＲＯＭ（Electrically Erasable and Programmable Read Only Memory）が接続されている。
【００１７】
レンズ部は、図示は省略するが、ズームレンズ及びその駆動部を有するズーム制御機構部と、フォーカスレンズ及びその駆動部を有するフォーカス制御機構部とを含んで構成され、メイン制御ブロック７からの制御信号が、レンズ制御部を介してレンズ部のズーム制御機構部およびフォーカス制御機構部に供給されて、これらズーム制御機構部およびフォーカス制御機構部が駆動制御されることにより、ズーム制御あるいはフォーカス制御される。
【００１８】
操作ブロック６のシャッタレリーズボタンは、ユーザの押圧により瞬時にシャッタ機構の開閉が操作されるモーメンタリ型の押圧スイッチである。このシャッタレリーズボタンは、スイッチを全く押さない状態（オフ）と、スイッチを押し切った状態（深押し）と、スイッチを半分程度まで押した状態（半押し）との３つの状態を区別してスイッチングする機能が設けられている。このシャッタレリーズボタンの３つの押圧状態（オフ、半押し、深押し）は、メイン制御ブロック７により判別される。操作ブロック６の各ボタンの押圧状態における動作についてはその詳細を後述する。
【００１９】
アイリス機構は、メイン制御ブロック７からの制御信号によりレンズ部を介して入射する光を透過させる開口の大きさを制御する。シャッタ機構は、シャッタレリーズボタンの押下操作に応じて、メイン制御ブロック７からの制御信号により駆動され、レンズ部を介して入射する光を透過させる時間の露光時間を制御する。アイリス機構と、シャッタ機構の制御により、露光光量が制御される。
【００２０】
ＣＣＤ撮像素子は、この例では、例えば色情報を得るために各画素毎に色フィルタアレイを２次元に配列した色フィルタが撮像面に設けられたカラー撮像素子の構成とされており、撮像面に結像された被写体像に応じた撮像出力信号がこれより得られる。
【００２１】
アナログ信号処理回路は、ＣＣＤ撮像素子から供給された画像信号に対して、相関二重サンプリングによるノイズ除去のためのサンプリング処理や自動ゲインコントロールによる増幅処理等のアナログ処理を行う回路である。アナログ信号処理回路から出力された画像信号は、Ａ／Ｄ変換回路に供給される。
【００２２】
Ａ／Ｄ変換回路は、アナログ信号処理回路から供給されたアナログの画像信号を所定のサンプリングレートでサンプリングして、デジタルの画像信号に変換する。Ａ／Ｄ変換回路から出力されたデジタル画像信号は、デジタル信号処理回路に供給される。
【００２３】
デジタル信号処理回路は、Ａ／Ｄ変換回路から供給されたデジタル画像信号に各種色信号処理を施すと共に、このデジタル画像信号から、１フレーム期間の画像信号、静止画像撮像のための各画素毎の画像信号、オートフォーカスのための検波領域のパラメータ信号、測光等に必要となる各種信号を生成する。
【００２４】
例えば、１フレーム期間の画像信号生成時には、入力画像信号から表示画像信号を生成し、画像表示装置３に供給する。また、静止画像撮像時には、入力画像信号から１枚の静止画像信号を生成し、それを符号化して圧縮等の処理を施した後にリムーバブルメモリ１０に供給する。また、オートフォーカス時には、入力画像信号から、画面内の所定領域の高周波数成分を検出し、その高周波数成分のレベルを示すパラメータを生成し、メイン制御ブロック７へ供給する。
【００２５】
タイミング信号発生回路は、ＣＣＤ撮像素子が１画面毎の画像信号の蓄積及び読み出しに必要とする垂直及び水平転送パルスやフィールドシフトパルスなどの各種の駆動パルスを発生する。タイミング信号発生回路から発生された各種パルスは、ＣＣＤ撮像素子に供給され、画像信号の撮像処理や出力処理のタイミング信号として用いられる。
【００２６】
ストロボ制御部は、いわゆるキセノンランプのような放電発光手段であり、強い光を一瞬だけ発光し、被写体に光を照射することができる。つまり、ストロボ制御部は、撮影時に露光量を補助する補助光として強い閃光を被写体に照射することができる。これにより、撮影に必要な露光量を得ることができる。このストロボ制御部は、例えば筐体の前面部や上部に取り付けられ、撮像対象となる被写体に対して光を照射するように設けられている。すなわち、ストロボ制御部は、レンズの光軸方向であって、レンズから前方に向かう方向に光を照射するように設けられている。このストロボ制御部は、充電・発光制御部により駆動され、その発光タイミングがメイン制御ブロック７により制御される。
【００２７】
次に、このように構成されたデジタルスチルカメラの動作の説明を行う。
この実施の形態のデジタルスチルカメラは、構えられたカメラの向きを検出する縦横上下検出センサ９を用いて、縦位置か横位置かをメイン制御ブロック７の切替制御部１１が判別し、その状態に合わせて使用できる操作ブロック６のボタンを自動で変更するという動作をするものである。
【００２８】
例えば横位置の際に縦位置用のレリーズを自動的に使用禁止にすると、横位置方向時に手で触ってしまう又は握ってしまう位置に縦位置用のレリーズや各種設定ボタンがあっても誤動作しなくなり、使いやすいだけでなく縦位置グリップのようにカメラ全体の大きさが大きくなることを防ぐことが可能となる。
【００２９】
また、一眼レフ系カメラなどカメラはシャッタースピード、露出補正、ＡＥ（auto exposure）ロック、ＩＳＯ感度、ストロボなど各種設定を好みに応じて使い分けて撮影する際に、多くはボタンを押しながらダイヤルを回し、また、ダイヤルを回しながらボタンを押して行う。この場合、カメラは脇を締めて撮影することが多いため縦位置で使用するとき著しく設定がしづらくなる場合も存在する。
【００３０】
その際、縦横上下検出センサ９を利用して、縦位置横位置でそれぞれ使用しやすいところに複数搭載してある同じ機能のボタンを、メイン制御ブロック７の切替制御部１１がそれぞれ使用しない位置の時は自動でロックする。例えば、横位置用のボタンは縦撮り時には使用禁止にする。
【００３１】
また、メイン制御ブロック７の切替制御部１１が横位置で使用を頻繁にするボタンの機能を、縦位置では縦位置で使用しやすい位置にある別のボタンの機能とを自動で入れ替える。
【００３２】
また、上述した自動ロックと機能入れ替えを組み合わせることで縦横どちらの向きでも使いやすいカメラを提供することができる。
【００３３】
さらに、どのボタンが有効でどのボタンがロックされているか、何の機能のボタンがどう入れ替えられたかといった情報などを画像表示装置３の液晶パネルに自動で表示し、また、使用可能なボタンの近くに配置したＬＥＤを点灯することにより使用者に連絡すれば、より使いやすいカメラを提供することができる。
【００３４】
図２は、ボタン配置例を示す図であり、図２Ａは背面図、図２Ｂは側面図である。
図２は、例として右手人差し指でダイヤル２５を回しながら横位置用レリーズ２１を押すことができるボタン配置のカメラの場合を示す。ここで、カメラ前面のレンズ２７側にダイヤル２５が配置され、カメラ右上部に横位置用レリーズ２１が配置され、カメラ右下部に縦位置用レリーズ２３が配置されている。また、カメラ中央上部に横位置用ストロボボタン２２が配置され、カメラ左下部に横位置用ストロボボタン２４が配置されている。
【００３５】
２３は縦位置用レリーズであるが、これは横位置の時はロックされており押してもレリーズが切れることはない。これにより横撮影時に右手が触れる部分に縦位置用レリーズ２３を置くことが可能となる。
【００３６】
また、例として右手人差し指で縦位置用レリーズ２３（黄色）を押すボタン配置のカメラの場合を示す。２３は縦位置用レリーズであるが、これは横位置の時はロックされており押してもレリーズが切れることはない。これにより横撮影時に右手が触れる部分に縦位置用レリーズ２３を置くことが可能となる。
【００３７】
さらにレリーズだけでなくストロボモードなどの設定を行うストロボボタンも、横位置では左手で横位置用ストロボボタン２４（オレンジ）を押しながら右手人差し指でダイヤル２５（青色）をまわし、縦位置では左手で縦位置用ストロボボタン２２（紫色）を押しながら右手人差し指でダイヤル２５（青色）まわして使用するという様にボタンを変更することで使いやすい位置に配置することが可能となる。
【００３８】
また、横位置時に横位置用レリーズ２１（赤色）及び横位置用ストロボボタン２４（オレンジ）の近くに配置したＬＥＤを点灯するようにし、縦位置時に縦位置用レリーズ２３（黄色）及び縦位置用ストロボボタン２２（紫色）の近くに配置したＬＥＤを点灯するようにし、また、液晶パネル２６に横位置時又は縦位置時に操作可能に選択されるボタンを表示する。
【００３９】
図３は、ボタンの自動ロック例を示す図である。
図３において、横位置用レリーズ２１（赤色）は、横位置時に有効となって使用可能状態であるが、縦位置時にロックされて使用禁止状態となる。また、縦位置用レリーズ２３（黄色）は、縦位置時に有効となって使用可能状態であるが、横位置時にロックされて使用禁止状態となる。
【００４０】
このボタンの使用可能状態又は使用禁止状態の区別はボタンの近くに配置したＬＥＤの赤色又は黄色の点灯により行い、また、液晶パネル２６に表示する。
【００４１】
これにより、横位置時に縦位置用レリーズ２３は、ユーザの右手に当たるが使用禁止状態となるため、誤動作しない。
なお、縦位置時に横位置用レリーズ２１は、ユーザの左手に当たらないため使用可能状態にしてもよい。
【００４２】
図４は、ボタンの機能自動入れ替え例を示す図である。
図４において、横位置時に背面３１中央上の緑のボタン４１は露出補正機能、背面右上のピンクのボタン４２はＡＥロック機能として使用する。緑のボタン４１を右手の親指で押しながら図２に示した青色のダイヤル２５を右手の人差し指で回すことにより絞り値を調整するが、縦位置に構えた場合に脇を締めてこの操作を行うのは難しい。
【００４３】
そこで縦位置の時は露出補正機能をダイヤル２５の近くのピンクのボタン４２に変更し、縦位置に構えた場合に絞り値の調整を行いやすくする。ちなみに横位置の時のピンクのボタン４２はＡＥロック機能として使用するが、縦位置では緑のボタン４１との機能を入れ替えることにより緑のボタン４１がＡＥロック機能となる。
【００４４】
このボタンの機能の入れ替え状態の区別はボタンの近くに配置したＬＥＤの緑色又はピンク色の点灯により行い、また、液晶パネル２６に表示する。
【００４５】
図５は、縦横上下検出センサの構成例を示す図である。
図５において、装置の構えられた向きに従って、移動部Ｇが重力により各検出部に接触する。これにより、各検出部は電気的又は磁気的に移動部Ｇの接触の検出を行うことにより、検出電圧の出力信号を出力する。
【００４６】
例えば、移動部Ｇが重力によりｘ方向に移動すると、移動部ＧがＶｘ検出部に接触する。これにより、Ｖｘ検出部は検出電圧Ｖｘの出力信号を出力する。また、逆に、移動部Ｇが重力によりｘ方向と反対の−ｘ方向に移動すると、移動部Ｇが−Ｖｘ検出部に接触する。これにより、−Ｖｘ検出部は検出電圧−Ｖｘの出力信号を出力する。このとき、例えば、Ｖｘ検出部による検出電圧Ｖｘの出力信号が装置の横方向の検出信号となる。
【００４７】
また、移動部Ｇが重力によりｘ方向と垂直面に対して垂直なｙ方向に移動すると、移動部ＧがＶｙ検出部に接触する。これにより、Ｖｙ検出部は検出電圧Ｖｙの出力信号を出力する。また、逆に、移動部Ｇが重力によりｙ方向と反対の−ｙ方向に移動すると、移動部Ｇが−Ｖｙ検出部に接触する。これにより、−Ｖｘ検出部は検出電圧−Ｖｘの出力信号を出力する。このとき、例えば、Ｖｙ検出部による検出電圧Ｖｙの出力信号が装置の縦方向の検出信号となる。また、−Ｖｙ検出部による検出電圧−Ｖｙの出力信号も装置の逆向きの縦方向の検出信号となる。
【００４８】
また、移動部Ｇが重力によりｘ方向及びｙ方向と垂直面に対して垂直なｚ方向に移動すると、移動部ＧがＶｚ検出部に接触する。これにより、Ｖｚ検出部は検出電圧Ｖｚの出力信号を出力する。また、逆に、移動部Ｇが重力によりｚ方向と反対の−ｚ方向に移動すると、移動部Ｇが−Ｖｚ検出部に接触する。これにより、−Ｖｚ検出部は検出電圧−Ｖｚの出力信号を出力する。このとき、例えば、Ｖｚ検出部による検出電圧Ｖｚの出力信号が装置の下方向の検出信号となる。また、−Ｖｚ検出部による検出電圧−Ｖｚの出力信号が装置の上方向の検出信号となる。
【００４９】
図６は、ボタンの自動ロックを実現する切替制御部の構成例を示す図である。図６は、図５に示した縦横上下検出センサ９の検出信号に応じて、図１に示した操作ブロック６のボタンの自動ロックを行うためのメイン制御ブロック７の切替制御部１１の構成を示す図である。図６は、上述した図３の説明に対応する。
【００５０】
図６において、横位置用レリーズ２１からの出力電圧Ｖ２１及び横位置用ストロボボタン２４からの出力電圧Ｖ２４が有効切替部（横位置）及び無効切替部（縦位置）６１に供給されると、有効切替部（横位置）及び無効切替部（縦位置）６１は、縦横上下検出センサ９からの検出信号が横方向を示す検出信号Ｖｘであるときは、横位置用レリーズ２１からの出力電圧Ｖ２１及び横位置用ストロボボタン２４からの出力電圧Ｖ２４を有効として、横位置用レリーズ２１からの出力電圧Ｖ２１及び横位置用ストロボボタン２４からの出力電圧Ｖ２４による動作の処理を実行する。
【００５１】
このとき、有効切替部（横位置）及び無効切替部（縦位置）６１は、縦横上下検出センサ９からの検出信号が縦方向を示す検出信号Ｖｙであるときは、横位置用レリーズ２１からの出力電圧Ｖ２１及び横位置用ストロボボタン２４からの出力電圧Ｖ２４を無効として、横位置用レリーズ２１からの出力電圧Ｖ２１及び横位置用ストロボボタン２４からの出力電圧Ｖ２４による動作の処理に対しては中止して、これによる動作をロック状態にする。
【００５２】
また、縦位置用レリーズ２３からの出力電圧Ｖ２３及び縦位置用ストロボボタン２２からの出力電圧Ｖ２２が有効切替部（縦位置）及び無効切替部（横位置）６２に供給されると、有効切替部（縦位置）及び無効切替部（横位置）６２は、縦横上下検出センサ９からの検出信号が縦方向を示す検出信号Ｖｙであるときは、縦位置用レリーズ２３からの出力電圧Ｖ２３及び縦位置用ストロボボタン２２からの出力電圧Ｖ２２を有効として、縦位置用レリーズ２３からの出力電圧Ｖ２３及び縦位置用ストロボボタン２２からの出力電圧Ｖ２２による動作の処理を実行する。
【００５３】
このとき、有効切替部（縦位置）及び無効切替部（横位置）６２は、縦横上下検出センサ９からの検出信号が横方向を示す検出信号Ｖｘであるときは、縦位置用レリーズ２３からの出力電圧Ｖ２３及び縦位置用ストロボボタン２２からの出力電圧Ｖ２２を無効として、縦位置用レリーズ２３からの出力電圧Ｖ２３及び縦位置用ストロボボタン２２からの出力電圧Ｖ２２による動作の処理に対しては中止して、これによる動作をロック状態にする。
【００５４】
図７は、ボタンの機能自動入れ替えを実現する切替制御部の構成例を示す図である。図７は、図５に示した縦横上下検出センサ９の検出信号に応じて、図１に示した操作ブロック６のボタンの機能自動入れ替えを行うためのメイン制御ブロック７の切替制御部１１の構成を示す図である。図７は、上述した図４の説明に対応する。
【００５５】
図７において、露出補正ボタン（横位置）及びＡＥロックボタン（縦位置）４１からの出力電圧Ｖ４１が露出補正機能切替部（横位置）及びＡＥロック機能切替部（縦位置）７１に供給されると、露出補正機能切替部（横位置）及びＡＥロック機能切替部（縦位置）７１は、縦横上下検出センサ９からの検出信号が横方向を示す検出信号Ｖｘであるときは、露出補正ボタン（横位置）及びＡＥロックボタン（縦位置）４１からの出力電圧Ｖ４１を露出補正機能に切り替えて、露出補正ボタン（横位置）及びＡＥロックボタン（縦位置）４１からの出力電圧Ｖ４１による露出補正機能による動作の処理を実行する。
【００５６】
このとき、露出補正機能切替部（横位置）及びＡＥロック機能切替部（縦位置）７１は、縦横上下検出センサ９からの検出信号が縦方向を示す検出信号Ｖｙであるときは、露出補正ボタン（横位置）及びＡＥロックボタン（縦位置）４１からの出力電圧Ｖ４１をＡＥロック機能に切り替えて、露出補正ボタン（横位置）及びＡＥロックボタン（縦位置）４１からの出力電圧Ｖ４１によるＡＥロック機能による動作の処理を実行する。
【００５７】
また、ＡＥロックボタン（横位置）及び露出補正ボタン（縦位置）４２からの出力電圧Ｖ４２がＡＥロック機能切替部（横位置）及び露出補正機能切替部（縦位置）７２に供給されると、ＡＥロック機能切替部（横位置）及び露出補正機能切替部（縦位置）７２は、縦横上下検出センサ９からの検出信号が横方向を示す検出信号Ｖｘであるときは、ＡＥロックボタン（横位置）及び露出補正ボタン（縦位置）４２からの出力電圧Ｖ４２をＡＥロック機能に切り替えて、ＡＥロックボタン（横位置）及び露出補正ボタン（縦位置）４２からの出力電圧Ｖ４２によるＡＥロック機能による動作の処理を実行する。
【００５８】
このとき、ＡＥロック機能切替部（横位置）及び露出補正機能切替部（縦位置）７２は、縦横上下検出センサ９からの検出信号が縦方向を示す検出信号Ｖｙであるときは、ＡＥロックボタン（横位置）及び露出補正ボタン（縦位置）４２からの出力電圧Ｖ４２を露出補正機能に切り替えて、ＡＥロックボタン（横位置）及び露出補正ボタン（縦位置）４２からの出力電圧Ｖ４２による露出補正機能による動作の処理を実行する。
【００５９】
また、縦横方向の検出に限らず、以下のような上下方向の検出による切替制御を行うようにしてもよい。この場合、上向きの場合には装置の背面側にボタンが配置されているほうが操作がしやすく、逆に、下向きの場合には装置の前面側にボタンが配置されているほうが操作がしやすいので、このような配置にした場合を例に挙げて説明している。
【００６０】
図８は、上下によるボタンの自動ロックを実現する切替制御部の構成例を示す図である。図８は、図５に示した縦横上下検出センサ９の検出信号に応じて、図１に示した操作ブロック６のボタンの自動ロックを行うためのメイン制御ブロック７の切替制御部１１の構成を示す図である。図８は、上述した図３の説明に対応する。
【００６１】
図８において、上位置用レリーズ（背面側）８１からの出力電圧Ｖ８１及び上位置用ストロボボタン（背面側）８２からの出力電圧Ｖ８２が有効切替部（上位置（背面側））及び無効切替部（下位置（前面側））８５に供給されると、有効切替部（上位置（背面側））及び無効切替部（下位置（前面側））８５は、縦横上下検出センサ９からの検出信号が上方向を示す検出信号−Ｖｚであるときは、上位置用レリーズ（背面側）８１からの出力電圧Ｖ８１及び上位置用ストロボボタン（背面側）８２からの出力電圧Ｖ８２を有効として、上位置用レリーズ（背面側）８１からの出力電圧Ｖ８１及び上位置用ストロボボタン（背面側）８２からの出力電圧Ｖ８２による動作の処理を実行する。
【００６２】
このとき、有効切替部（上位置（背面側））及び無効切替部（下位置（前面側））８５は、縦横上下検出センサ９からの検出信号が下方向を示す検出信号Ｖｚであるときは、上位置用レリーズ（背面側）８１からの出力電圧Ｖ８１及び上位置用ストロボボタン（背面側）８２からの出力電圧Ｖ８２を無効として、上位置用レリーズ（背面側）８１からの出力電圧Ｖ８１及び上位置用ストロボボタン（背面側）８２からの出力電圧Ｖ８２による動作の処理に対しては中止して、これによる動作をロック状態にする。
【００６３】
また、下位置用レリーズ（前面側）８３からの出力電圧Ｖ８３及び下位置用ストロボボタン（前面側）８４からの出力電圧Ｖ８４が有効切替部（下位置（前面側））及び無効切替部（上位置（背面側））８６に供給されると、有効切替部（下位置（前面側））及び無効切替部（上位置（背面側））８６は、縦横上下検出センサ９からの検出信号が下方向を示す検出信号Ｖｚであるときは、下位置用レリーズ（前面側）８３からの出力電圧Ｖ８３及び下位置用ストロボボタン（前面側）８４からの出力電圧Ｖ８４を有効として、下位置用レリーズ（前面側）８３からの出力電圧Ｖ８３及び下位置用ストロボボタン（前面側）８４からの出力電圧Ｖ８４による動作の処理を実行する。
【００６４】
このとき、有効切替部（下位置（前面側））及び無効切替部（上位置（背面側））８６は、縦横上下検出センサ９からの検出信号が上方向を示す検出信号−Ｖｚであるときは、下位置用レリーズ（前面側）８３からの出力電圧Ｖ８３及び下位置用ストロボボタン（前面側）８４からの出力電圧Ｖ８４を無効として、下位置用レリーズ（前面側）８３からの出力電圧Ｖ８３及び下位置用ストロボボタン（前面側）８４からの出力電圧Ｖ８４による動作の処理に対しては中止して、これによる動作をロック状態にする。
【００６５】
また、上向きの場合には、比較的簡単な操作でよいボタンは装置の前面側に、比較的複雑な操作を要するボタンは背面側に配置されているほうが操作がしやすく、逆に、下向きの場合には、比較的複雑な操作を要するボタンは装置の前面側に、比較的簡単な操作でよいボタンは装置の前面側に配置されているほうが操作がしやすいので、このような配置にした場合を例に挙げて説明している。
【００６６】
図９は、上下によるボタンの機能自動入れ替えを実現する切替制御部の構成例を示す図である。図９は、図５に示した縦横上下検出センサ９の検出信号に応じて、図１に示した操作ブロック６のボタンの機能自動入れ替えを行うためのメイン制御ブロック７の切替制御部１１の構成を示す図である。図９は、上述した図４の説明に対応する。
【００６７】
図９において、露出補正ボタン（上位置（背面側））及びＡＥロックボタン（下位置（背面側））９１からの出力電圧Ｖ９１が露出補正機能切替部（上位置（背面側））及びＡＥロック機能切替部（下位置（背面側））９３に供給されると、露出補正機能切替部（上位置（背面側））及びＡＥロック機能切替部（下位置（背面側））９３は、縦横上下検出センサ９からの検出信号が上方向を示す検出信号−Ｖｚであるときは、露出補正ボタン（上位置（背面側））及びＡＥロックボタン（下位置（背面側））９１からの出力電圧Ｖ９１を露出補正機能に切り替えて、露出補正ボタン（上位置（背面側））及びＡＥロックボタン（下位置（背面側））９１からの出力電圧Ｖ９１による露出補正機能による動作の処理を実行する。
【００６８】
このとき、露出補正機能切替部（上位置（背面側））及びＡＥロック機能切替部（下位置（背面側））９３は、縦横上下検出センサ９からの検出信号が下方向を示す検出信号Ｖｚであるときは、露出補正ボタン（上位置（背面側））及びＡＥロックボタン（下位置（背面側））９１からの出力電圧Ｖ９１をＡＥロック機能に切り替えて、露出補正ボタン（上位置（背面側））及びＡＥロックボタン（下位置（背面側））９１からの出力電圧Ｖ９１によるＡＥロック機能による動作の処理を実行する。
【００６９】
また、ＡＥロックボタン（上位置（前面側））及び露出補正ボタン（下位置（前面側））９２からの出力電圧Ｖ９２がＡＥロック機能切替部（上位置（前面側））及び露出補正機能切替部（下位置（前面側））９４に供給されると、ＡＥロック機能切替部（上位置（前面側））及び露出補正機能切替部（下位置（前面側））９４は、縦横上下検出センサ９からの検出信号が上方向を示す検出信号−Ｖｚであるときは、ＡＥロックボタン（上位置（前面側））及び露出補正ボタン（下位置（前面側））９２からの出力電圧Ｖ９２をＡＥロック機能に切り替えて、ＡＥロックボタン（上位置（前面側））及び露出補正ボタン（下位置（前面側））９２からの出力電圧Ｖ９２によるＡＥロック機能による動作の処理を実行する。
【００７０】
このとき、ＡＥロック機能切替部（上位置（前面側））及び露出補正機能切替部（下位置（前面側））９４は、縦横上下検出センサ９からの検出信号が下方向を示す検出信号Ｖｚであるときは、ＡＥロックボタン（上位置（前面側））及び露出補正ボタン（下位置（前面側））９２からの出力電圧Ｖ９２を露出補正機能に切り替えて、ＡＥロックボタン（上位置（前面側））及び露出補正ボタン（下位置（前面側））９２からの出力電圧Ｖ９２による露出補正機能による動作の処理を実行する。
【００７１】
図１０は、縦横合成用フレームテーブルを示す図である。図１０は、図５に示した縦横上下検出センサ９の検出信号に応じて、図１に示したメイン制御ブロック７の切替制御部１１が撮像画像に対して合成処理を行う場合の縦横用合成フレームテーブルを示す図である。
【００７２】
図１０において、横画像１０４に対しては、横用合成フレームテーブル１０１に格納されている横用合成フレーム１０３を合成するように処理し、縦画像１０６に対しては、縦用合成フレームテーブル１０２に格納されている縦用合成フレーム１０５を合成するように処理する。
【００７３】
なお、上述した実施の形態に限らず、装置の各種方向の検出に応じて、撮像装置の他の機能を切替制御するようにしてもよい。
【図面の簡単な説明】
【００７４】
【図１】実施の形態の撮像装置の構成を示す図ブロック図である。
【図２】ボタン配置例を示す図であり、図２Ａは背面図、図２Ｂは側面図である。
【図３】ボタンの自動ロック例を示す図である。
【図４】ボタンの機能自動入れ替え例を示す図である。
【図５】縦横上下検出センサの構成例を示す図である。
【図６】ボタンの自動ロックを実現する切替制御部の構成例を示す図である。
【図７】ボタンの機能自動入れ替えを実現する切替制御部の構成例を示す図である。
【図８】上下によるボタンの自動ロックを実現する切替制御部の構成例を示す図である。
【図９】上下によるボタンの機能自動入れ替えを実現する切替制御部の構成例を示す図である。
【図１０】縦横合成用フレームテーブルを示す図である。
【符号の説明】
【００７５】
１…カメラブロック、２…画像処理ブロック、３…画像表示装置、４…ＳＤＲＡＭ、６…操作ブロック、７…制御ブロック、８…リムーバブルメモリコントローラー、９…縦横上下検出センサ、１０…リムーバブルメモリ、１１…切替制御部、２１…横位置用レリーズ、２２…横位置用ストロボボタン、２３…縦位置用レリーズ、２４…縦位置用ストロボボタン、２５…ダイヤル、２６…液晶パネル、２７…レンズ、３１，４３…背面、９…、１０…、４１…緑ボタン（露出補正（横位置）、ＡＥロック（縦位置））、４２…ピンクボタン（ＡＥロック（横位置）、露出補正（縦位置））、１０１…横用合成フレームテーブル、１０２…縦用合成フレームテーブル、
【図１】
2006041621.tif 000003
【図２】
2006041621.tif 000004
【図３】
2006041621.tif 000005
【図４】
2006041621.tif 000006
【図５】
2006041621.tif 000007
【図６】
2006041621.tif 000008
【図７】
2006041621.tif 000009
【図８】
2006041621.tif 000010
【図９】
2006041621.tif 000011
【図１０】
2006041621.tif 000012